(57)【要約】【課題】本発明は、ファイルの位置情報を最小限の空間でも表示可能なファイル情報表示装置及びその方法を提供する。【解決手段】本発明は、多層構造のファイルシステム方式によってファイルを格納するメモリと、前記メモリに格納されたファイルのうち、現在活性化されているファイルの位置情報をアイコンを介して表示する表示部と、所定のファイルを活性化するためのキー入力を受けるキー入力部と、前記キー入力部により活性化されたファイルが変更される毎に、変更されたファイルの階層位置が、既存より上位の場合には前記表示部に表示されたアイコンの一つを減少させ、下位の場合にはアイコンの一つを増加させる制御部とを備える。【選択図】図９
2006323842.tif 000002
【特許請求の範囲】
【請求項１】
多層構造のファイルシステム方式によってファイルを格納するメモリと、
前記メモリに格納されたファイルのうち、現在活性化されているファイルの位置情報をアイコンを介して表示する表示部と、
所定のファイルを活性化するためのキー入力を受けるキー入力部と、
前記キー入力部により活性化されたファイルが変更される毎に、変更されたファイルの階層位置が、既存より上位の場合には前記表示部に表示されたアイコンの一つを減少させ、下位の場合にはアイコンの一つを増加させる制御部と、
を有することを特徴とするファイル情報表示装置。
【請求項２】
前記アイコンは、ホルダー状であることを特徴とする請求項１に記載のファイル情報表示装置。
【請求項３】
前記キー入力部は、活性化されたファイルを選択するための上、下、左、右に移動する方向キーを含み、前記制御部は、ファイルの階層間移動を左又は右の方向キーの入力により感知することを特徴とする請求項１に記載のファイル情報表示装置。
【請求項４】
前記制御部は、左の方向キーが入力された場合に、ファイルの階層位置を既存より上位に変更することを特徴とする請求項３に記載のファイル情報表示装置。
【請求項５】
前記制御部は、右の方向キーが入力された場合に、ファイルの階層位置を既存より下位に変更することを特徴とする請求項３に記載のファイル情報表示装置。
【請求項６】
前記制御部は、上又は下の方向キーが入力された場合に、同一のファイル階層上に存在するファイルのうち、活性化されるファイルを前記入力された方向キーに合せて変更することを特徴とする請求項３に記載のファイル情報表示装置。
【請求項７】
前記制御部は、最上位階層でのファイルの位置情報を、ファイル情報表示装置に具備されたメモリを示すアイコンを介して表示することを特徴とする請求項１に記載のファイル情報表示装置。
【請求項８】
前記ファイル情報表示装置に具備されたメモリは、外付けメモリ及び内装メモリを含むことを特徴とする請求項７に記載のファイル情報表示装置。
【請求項９】
多層構造のファイルシステム方式を用いるファイル情報表示装置におけるファイル情報表示方法において、
新たに活性化されたファイルの階層位置が、既存より上位か下位かを判別するステップと、
下位の場合にはアイコンの一つを増加させて表示し、上位の場合にはアイコンの一つを減少させて現在活性化されたファイルの階層位置を表示するステップと、
を含むことを特徴とする方法。
【請求項１０】
前記活性化されたファイルの階層位置が、最上位階層の場合には、前記ファイル情報表示装置に具備されたメモリを示すアイコンを表示するステップをさらに含むことを特徴とする請求項９に記載の方法。
【請求項１１】
前記ファイル表示装置に具備されたメモリは、外付けメモリ及び内蔵メモリを含むことを特徴とする請求項１０に記載の方法。
【請求項１２】
前記アイコンは、ホルダー状であることを特徴とする請求項９に記載の方法。
【請求項１３】
前記ファイルの階層間移動は、前記ファイル情報表示装置の左又は右の方向キーの入力により行われることを特徴とする請求項９に記載の方法。
【請求項１４】
前記左の方向キーの入力は、ファイルの階層位置を既存より上位に変更することを特徴とする請求項１３に記載の方法。
【請求項１５】
前記右の方向キーの入力は、ファイルの階層位置を既存より下位に変更することを特徴とする請求項１３に記載の方法。
【請求項１６】
同一のファイル階層上に存在するファイルのうち、活性化されるファイルの変更は、前記ファイル情報表示装置の上又は下の方向キーの入力により行われることを特徴とする請求項９に記載の方法。
【発明の詳細な説明】
【技術分野】
【０００１】
本発明は多層構造のファイルシステム方式によりファイル情報を表示する装置及び方法に関し、特に、ファイル位置情報を表示する装置及び方法に関する。
【背景技術】
【０００２】
小画面の携帯端末機は、多層構造のファイルシステム方式を用いる場合に、画面の大きさの制約のため、パーソナルコンピューターのようにファイル位置情報を上位から順次広まる構造で表示することが出来ない。多層構造方式を用いる従来の携帯端末機の例を、図1及び図２を参照して説明する。
【０００３】
図１に示すように、ファイル位置情報を表示する携帯端末機は、最上位階層での格納手段である内蔵メモリ及び外付けメモリを示すアイコンを横軸に配置させて、ユーザーが選択可能であるようにした。ユーザーが最上位階層の何れかの格納手段を選択すると、携帯端末機は選択された格納手段に格納されたファイルを縦軸に表示する。これにより、ユーザーが所望のファイルを選択する場合に、携帯端末機はそのファイルの下位水準に進入して下位ファイルを表示したりそのファイルを実行する。
【０００４】
次に、図２に示すように、ファイル位置情報を表示する携帯端末機は、単純に格納位置をファイル名の前に表示する。図１及び図２に示すように、小画面の携帯端末機は、多層構造のファイルシステム方式を用いても、ファイルの位置情報すなわちファイルが現在どの階層に属しているかを表示出来ないという問題点があった。
【発明の開示】
【発明が解決しようとする課題】
【０００５】
よって、本発明の目的は、ファイルの位置情報を最小限の空間でも表示可能なファイル情報表示装置及びその方法を提供することにある。
【課題を解決するための手段】
【０００６】
前記目的を達成するために、本発明のファイル情報表示装置は、多層構造のファイルシステム方式によってファイルを格納するメモリと、前記メモリに格納されたファイルのうち、現在活性化されているファイルの位置情報をアイコンを介して表示する表示部と、所定のファイルを活性化するためのキー入力を受けるキー入力部と、前記キー入力部により活性化されたファイルが変更される毎に、変更されたファイルの階層位置が、既存より上位の場合には前記表示部に表示されたアイコンの一つを減少させ、下位の場合にはアイコンの一つを増加させる制御部とを備える。
【０００７】
また、多層構造のファイルシステム方式を用いるファイル情報表示装置におけるファイル情報表示方法は、新たに活性化されたファイルの階層位置が、既存より上位か下位かを判別するステップと、下位の場合にはアイコンの一つを増加させて表示し、上位の場合にはアイコンの一つを減少させて現在活性化されたファイルの階層位置を表示するステップとを含む。
【発明の効果】
【０００８】
本発明によれば、ファイルが現在どの階層に属しているかをアイコンを介して表示することで、多層構造のファイルシステム方式を用いる携帯端末機の小画面でもファイルの位置情報を階層的に表示できる。また、ファイルの位置情報をアイコンを介して表示することで、小画面での空間活用を極大化できる。さらに、ファイルの階層間移動を左又は右の方向キーに割り当てることで、ユーザーはホルダー状のアイコンを介して、ファイルの位置情報を見ながら、容易にファイル階層を移動させることができる使用上の便宜が図られる。
【発明を実施するための最良の形態】
【０００９】
以下、添付図面に基づき、本発明の好適な実施形態について詳細に説明する。また、本発明の説明において、本発明に関連した公知の機能や構成についての具体的な説明が、本発明の要旨を不明瞭にすると判断される場合には、その詳細な説明を省略する。
【００１０】
図３は、本発明の実施形態によるファイル情報表示装置の構成を示すブロック図である。
【００１１】
図３に示すように、多層構造のファイルシステム方式を用いるファイル情報表示装置のメモリ１００は、ファイルシステムによってファイルが格納される。表示部２００は、メモリ１００に格納されたファイルの情報を表示するが、本発明の実施形態では現在活性化されているファイルの位置情報を制御部３００の制御下でアイコンを介して表示する。キー入力部４００は、ユーザーからファイルを検索及び活性化するための上、下、左、右の方向キーを備える。制御部３００は、キー入力部４００により活性化されるファイルが変更される毎に、変更されたファイルの階層位置が、既存より上位の場合には表示部２００に表示されたアイコンの一つを減少させ、下位の場合にはアイコンの一つを増加させる。
【００１２】
そして、ファイル情報表示装置において、ファイルの位置情報をアイコンを介してどのように表示するかを、図４を参照して詳細に説明する。図４は、本発明の実施形態によってファイル位置情報を示す画面の例示図である。
【００１３】
図４の左側画面によれば、現在活性化されているファイルの位置はｎ番目階層に存在するが、制御部３００はｎ番目階層の位置情報を上段にホルダー状のアイコンを介して表示する。現在表示されているホルダー状のアイコンは２つであるが、これは、現在活性化されているファイルが位置した階層はファイル情報表示装置に具備された内蔵メモリで２段階の下位階層であることを示す。制御部３００は、ホルダー状のアイコンの左側に携帯端末機のような形態のアイコンを介して内蔵メモリを表示する。すなわち、このようにホルダー状のアイコンを介してファイルの位置情報、例えば、ファイルが現在どの階層に属しているかは小画面でも表示できるので、ファイルシステムを用いる携帯端末機でも、最小限の空間を用いてファイルの位置情報を上述した方法により表示できる。
【００１４】
ここで、ユーザーがファイルの階層を一つ下又は一つ上に移動するために、キー入力部４００に具備された左又は右の方向キーを用いることができる。ファイルの階層間移動を左又は右の方向キーに割り当てることで、ユーザーは表示部２００に表示されたホルダー状のアイコンを介して、ファイルの位置情報を見ながら、容易にファイル階層を移動させることができる。キー入力部４００に具備された 上又は下の方向キーは、現在位置しているファイル階層上に存在するファイルより、活性化させるファイルを選択するためのキー入力に利用される。
【００１５】
制御部３００は、図４の左側画面、すなわち、ｎ番目階層でファイルの活性化中にキー入力部４００により右の方向キーが入力された場合に、ｎ番目階層より一つ下のｎ＋１番目階層に存在するファイルの情報を表示する。制御部３００は、ｎ階層より一つ上増加させることで、ホルダー状のアイコンを一つ増加させ、ｎ＋１番目階層に存在するファイルを表示部２００に図４の右側画面のように表示する。このような状態で、制御部３００は、キー入力部４００により左の方向キーが入力された場合に、表示部２００に表示されたホルダー状のアイコンを一つ減少させ、ｎ番目階層に存在するファイルを表示することで、図４の左側画面に復帰させる。
【００１６】
一方、ファイルの最上位階層はファイル情報表示装置に具備された内蔵メモリ及び外付けメモリなので、制御部３００はホルダー状のアイコンの代わりに内蔵メモリ及び外付けメモリを示すアイコンと、活性化されているメモリに存在するファイルとを表示部２００に図５のように表示する。
【００１７】
図５に示すように、ユーザーが最上位階層よりキー入力部４００の右の方向キーを入力する毎に、制御部３００は一つ下の階層のファイル情報を表示する。ユーザーが右の方向キーを１回入力すると、制御部３００は最上位階層より一つ下の階層であることを示すために、ホルダー状のアイコンを一つ表示部２００に表示する。勿論、一つ下の階層に存在するファイルも表示されるが、このように表示された画面を図６に示す。図７は図６の状態でユーザーが右の方向キーをもう１回入力する時の画面であり、図８は図７の状態でユーザーが右の方向キーをもう１回入力する時の画面である。図８の画面でユーザーが左の方向キーを１回入力すると、逆に図７の画面に戻って、ユーザーが左の方向キーを入力する毎に、画面は一つ上の階層のファイルの情報が表示される。
【００１８】
そして、本発明の実施形態によるファイル情報表示装置において、活性化されているファイルが現在どの階層にあるかを表示する方法を、図９のフローチャートを参照して詳細に説明する。図９は、本発明の実施形態によってファイル情報を表示する過程を示すフローチャートである。
【００１９】
ファイル情報表示装置のユーザーは、キー入力部４００の方向キーを用いて所望のファイルを検索する。ユーザーのファイル検索動作に応じて、表示部２００には現在活性化されているファイルが属している階層を示すホルダー状のアイコンと、現在位置しているファイル階層上に存在するファイルとが表示される。制御部３００は、このような状態でキー入力部４００により左の方向キーが入力されるか右の方向キーが入力されるかを判別する(段階Ｓ１００)。
【００２０】
段階Ｓ１００において、右の方向キーが入力された場合に、制御部３００は表示部２００にホルダー状のアイコンを一つ増加させ、ファイル階層が既存より一つ下であることを示す。そして、制御部３００は、変更された階層、即ち、既存より一つ下の階層に存在するファイルを表示部２００に表示する(段階Ｓ２００)。
【００２１】
一方、段階Ｓ１００において、左の方向キーが入力された場合に、制御部３００は既存より変更されるファイルの階層が最上位階層であるか否かを判別する(段階Ｓ３００)。段階Ｓ３００において、既存より変更されるファイルの階層が最上位階層ではない場合に、制御部３００は表示部２００に表示されたホルダー状のアイコンを一つ減少させてファイル階層が既存より一つ上であることを示す。そして、制御部３００は変更された階層、即ち、既存より一つ上の階層に存在するファイルを表示部２００に表示する(段階Ｓ４００)。
【００２２】
また、Ｓ３００段階において、既存より変更されるファイルの階層が最上位階層である場合に、これは既存階層が最上位階層より一つ下であることを示すので、表示部２００にはホルダー状のアイコンが一つ表示された状態である。これにより、制御部３００は一つ残ったホルダー状のアイコンを削除し、最上位階層であることを示すためのアイコン、すなわち、ファイル情報表示装置に具備されたメモリを示すアイコンを表示部２００に表示する(段階Ｓ５００)。
【００２３】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００２４】
【図１】多層構造のファイルシステム方式を用いる従来の携帯端末機においてファイル情報を表示した画面の例示図である。
【図２】多層構造のファイルシステム方式を用いる従来の携帯端末機においてファイル情報を表示した画面の例示図である。
【図３】本発明の実施形態によるファイル情報表示装置の構成を示すブロック図である。
【図４】本発明の実施形態によってファイル位置情報を表示した画面の例示図である。
【図５】本発明の実施形態によって最上位階層のファイル情報を表示する画面の例示図である。
【図６】本発明の実施形態によってファイル位置情報を表示した画面の例示図である。
【図７】本発明の実施形態によってファイル位置情報を表示した画面の例示図である。
【図８】本発明の実施形態によってファイル位置情報を表示した画面の例示図である。
【図９】本発明の実施形態によってファイル情報を表示する過程を示すフローチャートである。
【符号の説明】
【００２５】
１００  メモリ
２００  表示部
３００  制御部
４００  キー入力部
【図３】
2006323842.tif 000003
【図９】
2006323842.tif 000004
【図１】
2006323842.tif 000005
【図２】
2006323842.tif 000006
【図４】
2006323842.tif 000007
【図５】
2006323842.tif 000008
【図６】
2006323842.tif 000009
【図７】
2006323842.tif 000010
【図８】
2006323842.tif 000011